(57)【要約】      （修正有）【課題】シングルキャリア方式、及び／又は、マルチキャリア方式を用いた無線通信において、データの受信品質を向上させる。【解決手段】送信装置は、第１の送信方式を用いて送信する場合、第１の送信データを第１の誤り訂正符号化方式を用いて符号化し、第１のマッピング方式を用いてマッピングし、シングルキャリア方式で送信する。送信装置は、第２の送信方式を用いて送信する場合、第２の送信データを第１の誤り訂正符号化方式を用いて符号化し、第２の符号化データを生成し、第２のマッピング方式を用いてマッピングし、第２の送信信号を生成し、マルチキャリア方式で送信する。第１のマッピング方式における同相Ｉ−直交Ｑ平面における信号点の数は、第２のマッピング方式における同相Ｉ−直交Ｑ平面における信号点の数と等しく、第１のマッピング方式は第２のマッピング方式と異なる。【選択図】図１
2020010071.tif 000002
【特許請求の範囲】
【請求項１】
符号化部と変調部と送信部とを備える送信装置であって、
第１の送信方式を用いて送信する場合、
前記符号化部は、第１の送信データを第１の誤り訂正符号化方式を用いて符号化し、第１の符号化データを生成し、
前記変調部は、前記第１の符号化データを第１のマッピング方式を用いてマッピングし、第１の送信信号を生成し、
前記送信部は、前記第１の送信信号をシングルキャリア方式で送信し、
第２の送信方式を用いて送信する場合、
前記符号化部は、第２の送信データを第１の誤り訂正符号化方式を用いて符号化し、第２の符号化データを生成し、
前記変調部は、前記第２の符号化データを第２のマッピング方式を用いてマッピングし、第２の送信信号を生成し、
前記送信部は、前記第２の送信信号をマルチキャリア方式で送信し、
前記第１のマッピング方式における同相Ｉ−直交Ｑ平面における信号点の数は、前記第２のマッピング方式における同相Ｉ−直交Ｑ平面における信号点の数と等しく、
前記第１のマッピング方式は、前記第２のマッピング方式と異なる、
送信装置。
【請求項２】
符号化部と変調部と送信部とを備える送信装置が実施する送信方法であって、
第１の送信方式を用いて送信する場合、
前記符号化部は、第１の送信データを第１の誤り訂正符号化方式を用いて符号化し、第１の符号化データを生成し、
前記変調部は、前記第１の符号化データを第１のマッピング方式を用いてマッピングし、第１の送信信号を生成し、
前記送信部は、前記第１の送信信号をシングルキャリア方式で送信し、
第２の送信方式を用いて送信する場合、
前記符号化部は、第２の送信データを第１の誤り訂正符号化方式を用いて符号化し、第２の符号化データを生成し、
前記変調部は、前記第２の符号化データを第２のマッピング方式を用いてマッピングし、第２の送信信号を生成し、
前記送信部は、前記第２の送信信号をマルチキャリア方式で送信し、
前記第１のマッピング方式における同相Ｉ−直交Ｑ平面における信号点の数は、前記第２のマッピング方式における同相Ｉ−直交Ｑ平面における信号点の数と等しく、
前記第１のマッピング方式は、前記第２のマッピング方式と異なる、
送信方法。
【請求項３】
受信部と復調部と復号部とを備える受信装置であって、
第１の送信方式を用いて送信された第１の信号を受信する場合、
前記受信部は、シングルキャリア方式の前記第１の信号を受信し、第１の受信信号を取得し、
前記復調部は、前記第１の受信信号を第１のマッピング方式に基づいてデマッピングし、第１の復調信号を生成し、
前記復号部は、第１の復調信号を用いて第１の誤り訂正復号方式を用いて復号し、第１の受信データを生成し、
第２の送信方式を用いて送信された第２の信号を受信する場合、
前記受信部は、マルチキャリア方式の前記第２の信号を受信し、第２の受信信号を取得し、
前記復調部は、前記第２の受信信号を第２のマッピング方式に基づいてデマッピングし、第２の復調信号を生成し、
前記復号部は、第２の復調信号を用いて第１の誤り訂正復号方式を用いて復号し、第２の受信データを生成し、
前記第１のマッピング方式における同相Ｉ−直交Ｑ平面における信号点の数は、前記第２のマッピング方式における同相Ｉ−直交Ｑ平面における信号点の数と等しく、
前記第１のマッピング方式は、前記第２のマッピング方式と異なる、
受信装置。
【請求項４】
受信部と復調部と復号部とを備える受信装置が実施する受信方法であって、
第１の送信方式を用いて送信された第１の信号を受信する場合、
前記受信部は、シングルキャリア方式の前記第１の信号を受信し、第１の受信信号を取得し、
前記復調部は、前記第１の受信信号を第１のマッピング方式に基づいてデマッピングし、第１の復調信号を生成し、
前記復号部は、第１の復調信号を用いて第１の誤り訂正復号方式を用いて復号し、第１の受信データを生成し、
第２の送信方式を用いて送信された第２の信号を受信する場合、
前記受信部は、マルチキャリア方式の前記第２の信号を受信し、第２の受信信号を取得し、
前記復調部は、前記第２の受信信号を第２のマッピング方式に基づいてデマッピングし、第２の復調信号を生成し、
前記復号部は、第２の復調信号を用いて第１の誤り訂正復号方式を用いて復号し、第２の受信データを生成し、
前記第１のマッピング方式における同相Ｉ−直交Ｑ平面における信号点の数は、前記第２のマッピング方式における同相Ｉ−直交Ｑ平面における信号点の数と等しく、
前記第１のマッピング方式は、前記第２のマッピング方式と異なる、
受信方法。
【発明の詳細な説明】
【技術分野】
【０００１】
送信方法、送信装置、受信方法、受信装置に関する。
【背景技術】
【０００２】
無線通信方式として、シングルキャリア方式とＯＦＤＭ（Orthogonal Frequency Division Multiplexing）方式などのマルチキャリア方式（例えば、非特許文献１参照）が検討されている。マルチキャリア方式は、周波数利用効率が高く大容量伝送に向くという利点がある。シングルキャリア方式は、ＦＦＴ（Fast Fourier Transform）／ＩＦＦＴ（Inverse FFT）などの信号処理が不要で低消費電力での実現に向くという利点がある。
【先行技術文献】
【非特許文献】
【０００３】
【非特許文献１】J. A. C. Bingham, "Multicarrier Modulation for Data Transmission: An Idea Whose Time Has Come", IEEE Communications Magazine, May 1990.
【発明の概要】
【発明が解決しようとする課題】
【０００４】
シングルキャリア方式、及び／又は、マルチキャリア方式を用いた無線通信において、データの受信品質を向上させるための技術が望まれている。
【課題を解決するための手段】
【０００５】
本開示の一態様の送信装置は、符号化部と変調部と送信部とを備える。第１の送信方式を用いて送信する場合、符号化部は、第１の送信データを第１の誤り訂正符号化方式を用いて符号化し、第１の符号化データを生成し、変調部は、第１の符号化データを第１のマッピング方式を用いてマッピングし、第１の送信信号を生成し、送信部は、第１の送信信号をシングルキャリア方式で送信する。第２の送信方式を用いて送信する場合、符号化部は、第２の送信データを第１の誤り訂正符号化方式を用いて符号化し、第２の符号化データを生成し、変調部は、第２の符号化データを第２のマッピング方式を用いてマッピングし、第２の送信信号を生成し、送信部は、前記第２の送信信号をマルチキャリア方式で送信する。第１のマッピング方式における同相Ｉ−直交Ｑ平面における信号点の数は、前記第２のマッピング方式における同相Ｉ−直交Ｑ平面における信号点の数と等しく、第１のマッピング方式は、第２のマッピング方式と異なる。
【０００６】
本開示の一態様の送信方法は、符号化部と変調部と送信部とを備える送信装置が実施する。第１の送信方式を用いて送信する場合、符号化部は、第１の送信データを第１の誤り訂正符号化方式を用いて符号化し、第１の符号化データを生成し、変調部は、第１の符号化データを第１のマッピング方式を用いてマッピングし、第１の送信信号を生成し、送信部は、第１の送信信号をシングルキャリア方式で送信する。第２の送信方式を用いて送信する場合、符号化部は、第２の送信データを第１の誤り訂正符号化方式を用いて符号化し、第２の符号化データを生成し、変調部は、第２の符号化データを第２のマッピング方式を用いてマッピングし、第２の送信信号を生成し、送信部は、前記第２の送信信号をマルチキャリア方式で送信する。第１のマッピング方式における同相Ｉ−直交Ｑ平面における信号点の数は、前記第２のマッピング方式における同相Ｉ−直交Ｑ平面における信号点の数と等しく、第１のマッピング方式は、第２のマッピング方式と異なる。
【０００７】
本開示の一態様の受信装置は、受信部と復調部と復号部とを備える。第１の送信方式を用いて送信された第１の信号を受信する場合、受信部は、シングルキャリア方式の第１の信号を受信し、第１の受信信号を取得し、復調部は、第１の受信信号を第１のマッピング方式に基づいてデマッピングし、第１の復調信号を生成し、復号部は、第１の復調信号を用いて第１の誤り訂正復号方式を用いて復号し、第１の受信データを生成する。第２の送信方式を用いて送信された第２の信号を受信する場合、受信部は、マルチキャリア方式の第２の信号を受信し、第２の受信信号を取得し、復調部は、第２の受信信号を第２のマッピング方式に基づいてデマッピングし、第２の復調信号を生成し、復号部は、第２の復調信号を用いて第１の誤り訂正復号方式を用いて復号し、第２の受信データを生成する。第１のマッピング方式における同相Ｉ−直交Ｑ平面における信号点の数は、第２のマッピング方式における同相Ｉ−直交Ｑ平面における信号点の数と等しく、第１のマッピング方式は、第２のマッピング方式と異なる。
【０００８】
本開示の一態様の受信方法は、受信部と復調部と復号部とを備える受信装置が実施する。第１の送信方式を用いて送信された第１の信号を受信する場合、受信部は、シングルキャリア方式の第１の信号を受信し、第１の受信信号を取得し、復調部は、第１の受信信号を第１のマッピング方式に基づいてデマッピングし、第１の復調信号を生成し、復号部は、第１の復調信号を用いて第１の誤り訂正復号方式を用いて復号し、第１の受信データを生成する。第２の送信方式を用いて送信された第２の信号を受信する場合、受信部は、マルチキャリア方式の第２の信号を受信し、第２の受信信号を取得し、復調部は、第２の受信信号を第２のマッピング方式に基づいてデマッピングし、第２の復調信号を生成し、復号部は、第２の復調信号を用いて第１の誤り訂正復号方式を用いて復号し、第２の受信データを生成する。第１のマッピング方式における同相Ｉ−直交Ｑ平面における信号点の数は、第２のマッピング方式における同相Ｉ−直交Ｑ平面における信号点の数と等しく、第１のマッピング方式は、第２のマッピング方式と異なる。
【発明の効果】
【０００９】
本開示によると、シングルキャリア方式、及び／又は、マルチキャリア方式を用いた無線通信において、データの受信品質を向上させることができる可能性がある。
【図面の簡単な説明】
【００１０】
【図１】送信装置の構成の一例。
【図２】基地局の構成の一例。
【図３】フレーム構成の一例。
【図４】基地局の送信装置の構成の一例。
【図５】基地局の通信相手の装置の構成の一例。
【図６】基地局の通信相手の装置の受信装置の構成の一例。
【発明を実施するための形態】
【００１１】
（実施の形態１）
図１は、本実施の形態における送信装置の構成の一例を示している。
誤り訂正符号化部は、情報および制御信号を入力とし、制御信号に含まれる誤り訂正符号化方式、例えば、符号化率、符号長（ブロック長）に基づいて、情報に対し、誤り訂正符号化を行い、誤り訂正符号化後のデータを出力する。
【００１２】
なお、例えば、誤り訂正符号化部は、複数の誤り訂正符号化方式（複数の符号化率、複数の符号長）に対応しているものとする。また、誤り訂正符号化部は、入力データに対し、並び替えを行い、データを出力するインタリーバを、誤り訂正符号化を行う部分とは、別に具備していてもよい。
マッピング部は、誤り訂正符号化後のデータ、制御信号を入力とし、制御信号に含まれる変調方式の情報に基づき、誤り訂正符号化後のデータに対し、指定された変調方式に基づくマッピングを行い、マッピング後の信号を出力する。
【００１３】
無線部は、マッピング後の信号、制御信号を入力とするものとする。そして、制御信号により、例えば、シングルキャリア方式とＯＦＤＭ（Orthogonal Frequency Division Multiplexing）の指定ができるものとする。よって、制御信号により、「シングルキャリア方式」を指定された場合、無線部は、マッピング後の信号に対し、シングルキャリア方式用の信号処理を施し、シングルキャリア方式に対応した送信信号を出力し、この送信信号は、アンテナ部から、電波として出力される。また、制御信号により、「ＯＦＤＭ方式」を指定された場合、無線部は、マッピング後の信号に対し、ＯＦＤＭ方式用の信号処理を施し、ＯＦＤＭ方式に対応した送信信号を出力し、この送信信号は、アンテナ部から、電波として出力される。
【００１４】
そして、ＯＦＤＭ方式を選択した場合、複数のキャリアの変調信号を送信するため、ＰＡＰＲ（Peak-to-Average Power Ratio）が大きいという問題があり、無線部が具備する送信電力増幅器で、送信信号が歪む可能性が高く、また、例えば、ミリ波帯の周波数を用い、広帯域の信号を伝送しようとした場合、無線部が具備するＲＦ（Radio Frequency）部により、送信信号が、位相雑音の影響を受けるという傾向がある。
【００１５】
一方、シングルキャリア方式を選択した場合、無線部が具備するＲＦ部により、送信信号に対し、位相雑音の影響を受けた送信信号が、無線部から出力される傾向があるが、ＰＡＰＲが小さいため、無線部が具備する送信電力増幅器における歪みの影響は小さい、という傾向がある。
いずれの場合においても、送信信号が歪み、位相雑音の影響を受けているという課題があるが、その影響の度合いは、シングルキャリア方式とＯＦＤＭ方式では異なる傾向がある。このような中、図１の送信装置の通信相手である受信装置において、データの受信品質を向上させるための技術の導入が望まれる。
【００１６】
【表１】
2020010071.tif 000003
表１は、規格・誤り訂正符号化方式・伝送方式・６４値変調方式の関係を示した表である。
規格αは、使用する周波数帯が決まっており、周波数帯域（チャネル間隔）が一つ以上設定された規格であるものとする。
【００１７】
そして、規格αでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」  「ＬＤＰＣ符号  符号長（ブロック長）１３４４ビット  符号化率５／８」「ＬＤＰＣ符号  符号長（ブロック長）１３４４ビット  符号化率３／４」「ＬＤＰＣ符号  符号長（ブロック長）１３４４ビット  符号化率１３／１６」があるものとする。また、規格αでは、使用可能な伝送方式として、「シングルキャリア方式」「ＯＦＤＭ方式」があるものとする。
【００１８】
このとき、同相Ｉ−直交Ｑ平面において、６４個の信号点が存在する６４値変調方式が、規格αで選択することができるものとする。表１は、以下をあらわしている。
「規格α」「ＬＤＰＣ符号  符号長６７２ビット  符号化率５／８」「シングルキャリア方式」の変調信号を送信装置が送信するとき、６４値変調方式のマッピング方法は、「マッピング方法＃Ａ」とする。
【００１９】
「規格α」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率３／４」「シングルキャリア方式」の変調信号を送信装置が送信するとき、６４値変調方式のマッピング方法は、「マッピング方法＃Ａ」とする。
【００２０】
「規格α」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ａ」とする。
【００２１】
「規格α」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率５／８」「シングルキャリア方式」の変調信号を送信装置が送信するとき、６４値変調方式のマッピング方法は、「マッピング方法＃Ｃ」とする。
【００２２】
「規格α」「ＬＤＰＣ符号  符号長１３４４ビット  符号化率５／８」「ＯＦＤＭ方式」の変調信号を送信装置が送信するとき、６４値変調方式のマッピング方法は、「マッピング方法＃Ｄ」とする。
「規格α」「ＬＤＰＣ符号  符号長１３４４ビット  符号化率３／４」「シングルキャリア方式」の変調信号を送信装置が送信するとき、６４値変調方式のマッピング方法は、「マッピング方法＃Ｃ」とする。
【００２３】
「規格α」「ＬＤＰＣ符号  符号長１３４４ビット  符号化率３／４」「ＯＦＤＭ方式」の変調信号を送信装置が送信するとき、６４値変調方式のマッピング方法は、「マッピング方法＃Ｄ」とする。
「規格α」「ＬＤＰＣ符号  符号長１３４４ビット  符号化率１３／１６」「シングルキャリア方式」の変調信号を送信装置が送信するとき、６４値変調方式のマッピング方法は、「マッピング方法＃Ｃ」とする。
【００２４】
「規格α」「ＬＤＰＣ符号  符号長１３４４ビット  符号化率１３／１６」「ＯＦＤＭ方式」の変調信号を送信装置が送信するとき、６４値変調方式のマッピング方法は、「マッピング方法＃Ｄ」とする。
規格βは、使用する周波数帯が決まっており、規格αが使用する周波数帯と規格βが使用する周波数帯が同じである、または、規格αが使用する周波数帯の一部と規格βが使用する周波数帯の一部が同じであるものとする。そして、周波数帯域（チャネル間隔）が一つ以上設定された規格であるものとする。
【００２５】
そして、規格βでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」があるものとする。
また、規格βでは、使用可能な伝送方式として、「シングルキャリア方式」「ＯＦＤＭ方式」があるものとする。
【００２６】
このとき、同相Ｉ−直交Ｑ平面において、６４個の信号点が存在する６４値変調方式が、規格βで選択することができるものとする。表１は、以下をあらわしている。
「規格β」「ＬＤＰＣ符号  符号長６７２ビット  符号化率５／８」「シングルキャリア方式」の変調信号を送信装置が送信するとき、６４値変調方式のマッピング方法は、選択できないものとする。
【００２７】
「規格β  」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
「規格β  」「ＬＤＰＣ符号  符号長６７２ビット  符号化率３／４」「シングルキャリア方式」の変調信号を送信装置が送信するとき、６４値変調方式のマッピング方法は、選択できないものとする。
【００２８】
「規格β  」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
「規格β  」「ＬＤＰＣ符号  符号長６７２ビット  符号化率１３／１６」「シングルキャリア方式」の変調信号を送信装置が送信するとき、６４値変調方式のマッピング方法は、選択できないものとする。
【００２９】
「規格β  」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
このとき、「マッピング方法＃Ａ」と「マッピング方法＃Ｂ」は異なるマッピング方法であり、また、「マッピング方法＃Ｃ」と「マッピング方法＃Ｄ」は異なるマッピング方法であるものとする。
【００３０】
つまり、「マッピング方法＃Ａ」の同相Ｉ−直交Ｑ平面における６４個の信号点の座標を（Ｉak，Ｑak）とする（ｋは１以上６４以下の整数とする）。また、「マッピング方法＃Ｂ」の同相Ｉ−直交Ｑ平面における６４個の信号点の座標を（Ｉbk，Ｑbk）とする（ｋは１以上６４以下の整数とする）。このとき、以下が成立するものとする。
ｎは１以上６４以下の整数であり、これを満たす、すべてのｎで、（Ｉam／Ａ，Ｑam／Ａ）≠  （Ｉbn／Ｂ，Ｑbn／Ｂ）が成立するｍが存在する。
【００３１】
なお、ｍは１以上６４以下の整数とし、Ａ，Ｂは以下の式であらわされる。
【００３２】
【数１】
2020010071.tif 000004
【００３３】
【数２】
2020010071.tif 000005
また、＜条件１＞を満たさなくてはならない。
＜条件１＞
「「マッピング方法＃Ａ」の６４個の信号点を、同相Ｉ−直交Ｑ平面において、原点を中心にθ位相変更を行って得られた６４の信号点すべてが、「マッピング方法＃Ｂ」の６４個の信号点のいずれかに属する、を満たすθが存在する」を満たしてはならない。
【００３４】
＜条件１＞の補足を行う。
「マッピング方法＃Ａ」の６４個の信号点を、同相Ｉ−直交Ｑ平面において、原点を中心にθ位相変更を行って得られた６４の信号点（Ｉaak，Ｑaak）は、以下のようにあらわすことができる（ｋは１以上６４以下の整数）。
（Ｉaak，Ｑaak）＝（Ｉak×ｃｏｓθ−Ｑak×ｓｉｎθ，Ｉak×ｓｉｎθ＋Ｑak×ｃｏｓθ）
「ｋは１以上６４以下の整数であり、これを満たす、すべてのｋで、（Ｉａａｋ，Ｑａａｋ）が「マッピング方法＃Ｂ」の６４個の信号点のいずれかに属する、を満たすθが存在する」を満たしてはならない。
【００３５】
同様に、「マッピング方法＃Ｃ」の同相Ｉ−直交Ｑ平面における６４個の信号点の座標を（Ｉck，Ｑck）とする（ｋは１以上６４以下の整数とする）。また、「マッピング方法＃Ｄ」の同相Ｉ−直交Ｑ平面における６４個の信号点の座標を（Ｉdk，Ｑdk）とする（ｋは１以上６４以下の整数とする）。このとき、以下が成立するものとする。
ｎは１以上６４以下の整数であり、これを満たす、すべてのｎで、（Ｉcm／Ｃ，Ｑcm／Ｃ）≠（Ｉdn／Ｄ，Ｑdn／Ｄ）が成立するｍが存在する。
【００３６】
なお、ｍは１以上６４以下の整数とし、Ｃ，Ｄは以下の式であらわされる。
【００３７】
【数３】
2020010071.tif 000006
【００３８】
【数４】
2020010071.tif 000007
また、＜条件２＞を満たさなくてはならない。
＜条件２＞
「「マッピング方法＃Ｃ」の６４個の信号点を、同相Ｉ−直交Ｑ平面において、原点を中心にθ位相変更を行って得られた６４の信号点すべてが、「マッピング方法＃Ｄ」の６４個の信号点のいずれかに属する、を満たすθが存在する」を満たしてはならない。
【００３９】
＜条件２＞の補足を行う。
「マッピング方法＃Ｃ」の６４個の信号点を、同相Ｉ−直交Ｑ平面において、原点を中心にθ位相変更を行って得られた６４の信号点（Ｉcck，Ｑcck）は、以下のようにあらわすことができる（ｋは１以上６４以下の整数）。
（Ｉcck，Ｑcck）＝（Ｉck×ｃｏｓθ−Ｑck×ｓｉｎθ，Ｉck×ｓｉｎθ＋Ｑck×ｃｏｓθ）
「ｋは１以上６４以下の整数であり、これを満たす、すべてのｋで、（Ｉcck，Ｑcck）が「マッピング方法＃Ｄ」の６４個の信号点のいずれかに属する、を満たすθが存在する」を満たしてはならない。
【００４０】
以上のように、第１のマッピング方法の同相Ｉ−直交Ｑ平面における信号点の数と第２のマッピング方法の同相Ｉ−直交Ｑ平面における信号点の数と第３のマッピング方法のマッピング方法の同相Ｉ−直交Ｑ平面における信号点の数は等しく、第１の信号点の数を有しており、送信装置が、送信信号を生成するために、第１の誤り訂正符号の方法、かつ、シングルキャリア方式を選択した際、変調信号を生成するために第１のマッピング方法を選択し、送信装置が、送信信号を生成するために、第１の誤り訂正符号の方式、かつ、ＯＦＤＭ方式を選択した際、変調信号を生成するために第２のマッピング方法を選択するようにする。
【００４１】
ただし、第１のマッピング方法と第２のマッピング方法は異なるマッピング方法であるものとする。
これにより、シングルキャリア方式を用いたとき、通信相手の受信装置が、高いデータ受信品質を得ることができる、マッピング方法を選択し、かつ、ＯＦＤＭ方式を用いたとき、通信相手の受信装置が、高いデータの受信品質を得ることができるマッピング方法を選択することができ、これにより、シングルキャリア方式、ＯＦＤＭ方式いずれを選択したときも、通信相手の受信装置は、高いデータの受信品質を得ることができるという効果を得ることができる。
【００４２】
これに加え、送信装置が、送信信号を生成するために、第１の誤り訂正符号の方法、かつ、シングルキャリア方式を選択した際、第１の信号点の数を有するマッピング方法を選択することができないこともあり、送信装置が、送信信号を生成するために、第１の誤り訂正符号の方式、かつ、ＯＦＤＭ方式を選択した際、変調信号を生成するために第３のマッピング方法を選択するようにする、としてもよい。
（実施の形態２）
本実施の形態では、実施の形態１で説明した通信方式を適用した通信システムの動作の一例について説明する。
【００４３】
図２は、例えば、基地局（アクセスポイント）の構成であり、基地局は、実施の形態１で説明した送信方法の変調信号を送信する送信装置（２０３）を具備しているものとする。一例として、図２の基地局は、表１に示すような送信方法の変調信号を送信することができるものとする。なお、図２の基地局が対応している送信方法の特長については、実施の形態１で説明したとおりであるので、詳細の説明は省略する。
【００４４】
図２の基地局の受信装置２０４は、通信相手が送信した変調信号を受信し、復調、誤り訂正復号等の処理を行い、受信制御情報２０５および受信データ２０６を出力する。制御情報信号生成部２０８は、制御情報２０７、受信制御情報２０４を入力とし、通信相手に伝送するための制御情報信号、および、送信方法・フレーム構成などの情報を含んだ制御信号２１０を生成し、制御情報信号２０９、および、制御信号２１０を出力する。送信装置２０３は、「情報２０１」、「プリアンブル、および、パイロット信号２０２」、「制御情報信号２０９」、「制御信号２１０」を入力とし、制御信号２１０に含まれるフレーム構成にしたがった変調信号を生成し、電波としてアンテナから出力する。
【００４５】
図３は、基地局が送信する変調信号のフレーム構成の一例を示しており、横軸を時間とする。
プリアンブル３０１は、通信相手が、変調信号の検出、時間同期、周波数同期、チャネル推定を行うためのシンボルであり、例えば、基地局および通信相手にとって既知のＰＳＫ（Phase Shift Keying）シンボルであるものとする。なお、プリアンブル３０１は、シングルキャリア方式のシンボルであるものとする。
【００４６】
制御情報シンボル３０２は、通信相手に制御情報を伝送するためのシンボルであるものとする。なお、制御情報シンボル３０２で伝送する制御情報の例については、後で説明する。なお、制御情報シンボル３０２は、シングルキャリア方式のシンボルであるものとする。
復調用シンボル３０３は、データシンボル３０４を復調、復号するために必要なシンボルを送信するためのシンボルであり、例えば、制御情報の伝送するためのシンボル、チャネル推定を行うためのパイロットシンボル（リファレンスシンボル）を含んでいるものとする。なお、復調用シンボル３０３は、シングルキャリア方式のシンボル、ＯＦＤＭ方式のシンボルのいずれのシンボルであってもよい。
【００４７】
データシンボル３０４は、通信相手にデータを伝送するためのシンボルである。なお、データシンボル３０４は、シングルキャリア方式のシンボル、ＯＦＤＭ方式のシンボルいずれのシンボルであってもよい。
なお、図３のフレーム構成は一例であり、これらのシンボル以外のシンボルが含まれていてもよい。また、プリアンブル３０１、制御情報シンボル３０２、復調用のシンボル３０３、データシンボル３０４のそれぞれのシンボルが、他のシンボル（例えば、パイロットシンボル）を含んでいてもよい。
【００４８】
次に、本実施の形態における動作の一例の説明を行う。
＜第１の例＞
制御情報シンボル３０２は、以下の４つの制御情報を含んでいるものとする。
［１−１］復調用シンボル３０３およびデータシンボル３０４が、シングルキャリア方式のシンボルであるか、ＯＦＤＭ方式のシンボルであるか、を示す制御情報。例えば、この制御情報をｕ０としたとき、表２のような関係をもつものとする。
【００４９】
【表２】
2020010071.tif 000008
表２のように、復調用シンボル３０３およびデータシンボル３０４がシングルキャリア方式のシンボルとする場合、制御情報ｕ０＝０と設定する。そして、復調用シンボル３０３およびデータシンボル３０４がＯＦＤＭ方式のシンボルとする場合、制御情報ｕ０＝１と設定する。
【００５０】
制御情報ｕ０は、制御情報シンボル３０２の一部として、基地局は送信し、基地局の通信相手は、制御情報ｕ０を得ることで、復調・復号のために行う信号処理を決定することになる。
［１−２］データシンボル３０４の変調方式の変調多値数（同相Ｉ−直交Ｑ平面における信号点の数）を示す制御情報。例えば、この制御情報をｕ１，ｕ２としたとき、表３のような関係をもつものとする。
【００５１】
【表３】
2020010071.tif 000009
表３のように、データシンボル３０４の変調方式の変調多値数（同相Ｉ−直交Ｑ平面における信号点の数）が４のとき、［ｕ１  ｕ２］＝［０  ０］（ｕ１＝０，ｕ２＝０）と設定する。そして、データシンボル３０４の変調方式の変調多値数（同相Ｉ−直交Ｑ平面における信号点の数）が１６のとき、［ｕ１  ｕ２］＝［０  １］（ｕ１＝０，ｕ２＝１）と設定する。データシンボル３０４の変調方式の変調多値数（同相Ｉ−直交Ｑ平面における信号点の数）が６４のとき、［ｕ１  ｕ２］＝［１  ０］（ｕ１＝１，ｕ２＝０）と設定する。なお、［ｕ１  ｕ２］＝［１  １］（ｕ１＝１，ｕ２＝１）はＲｅｓｅｒｖｅとする。
【００５２】
制御情報ｕ１，ｕ２は、制御情報シンボル３０２の一部として、基地局は送信し、基地局の通信相手は、制御情報シンボル３０２から制御情報ｕ１，ｕ２を得ることで、復調・復号のために行う信号処理を決定することになる。
なお、表３の制御情報ｕ１，ｕ２は、上述の例では、制御情報シンボル３０２の一部として、送信する例で説明したが、基地局は、復調用シンボル３０３の一部として、表３の制御情報ｕ１，ｕ２を送信してもよい。このとき、基地局の通信相手は、復調用シンボル３０３から制御情報ｕ１，ｕ２を得ることで、データシンボルの復調・復号のために行う信号処理を決定することになる。
【００５３】
［１−３］データシンボル３０４を生成するのに使用した誤り訂正符号化方式を示す制御情報。例えば、この制御情報をｕ３，ｕ４，ｕ５としたとき、表４のような関係をもつものとする。
【００５４】
【表４】
2020010071.tif 000010
表４のように、データシンボル３０４を生成するのに使用した誤り訂正符号の方式が「ＬＤＰＣ符号、符号長（ブロック長）６７２ビット、符号化率５／８」のとき、［ｕ３  ｕ４  ｕ５］＝［０  ０  ０］（ｕ３＝０，ｕ４＝０，ｕ５＝０）と設定する。
【００５５】
そして、データシンボル３０４を生成するのに使用した誤り訂正符号の方式が「ＬＤＰＣ符号、符号長（ブロック長）６７２ビット、符号化率３／４」のとき、［ｕ３  ｕ４  ｕ５］＝［０  ０  １］（ｕ３＝０，ｕ４＝０，ｕ５＝１）と設定する。
データシンボル３０４を生成するのに使用した誤り訂正符号の方式が「ＬＤＰＣ符号、符号長（ブロック長）６７２ビット、符号化率１３／１６」のとき、［ｕ３  ｕ４  ｕ５］＝［０  １  ０］（ｕ３＝０，ｕ４＝１，ｕ５＝０）と設定する。
【００５６】
データシンボル３０４を生成するのに使用した誤り訂正符号の方式が「ＬＤＰＣ符号、符号長（ブロック長）１３４４ビット、符号化率５／８」のとき、［ｕ３  ｕ４  ｕ５］＝［０  １  １］（ｕ３＝０，ｕ４＝１，ｕ５＝１）と設定する。
データシンボル３０４を生成するのに使用した誤り訂正符号の方式が「ＬＤＰＣ符号、符号長（ブロック長）１３４４ビット、符号化率３／４」のとき、［ｕ３  ｕ４  ｕ５］＝［１  ０  ０］（ｕ３＝１，ｕ４＝０，ｕ５＝０）と設定する。
【００５７】
データシンボル３０４を生成するのに使用した誤り訂正符号の方式が「ＬＤＰＣ符号、符号長（ブロック長）１３４４ビット、符号化率１３／１６」のとき、［ｕ３  ｕ４  ｕ５］＝［１  ０  １］（ｕ３＝１，ｕ４＝０，ｕ５＝１）と設定する。
なお、［ｕ３  ｕ４  ｕ５］＝［１  １  ０］（ｕ３＝１，  ｕ４＝１，  ｕ５＝０）、および、［ｕ３  ｕ４  ｕ５］＝［１  １  １］（ｕ３＝１，ｕ４＝１，ｕ５＝１）はＲｅｓｅｒｖｅとする。
【００５８】
制御情報ｕ３，ｕ４，ｕ５は、制御情報シンボル３０２の一部として、基地局は送信し、基地局の通信相手は、制御情報シンボル３０２から制御情報ｕ３，ｕ４，ｕ５を得ることで、復調・復号のために行う信号処理を決定することになる。
なお、表４の制御情報ｕ３，ｕ４，ｕ５は、上述の例では、制御情報シンボル３０２の一部として、送信する例で説明したが、基地局は、復調用シンボル３０３の一部として、表４の制御情報ｕ３，ｕ４，ｕ５を送信してもよい。このとき、基地局の通信相手は、復調用シンボル３０３から制御情報ｕ３，ｕ４，ｕ５を得ることで、データシンボルの復調・復号のために行う信号処理を決定することになる。
【００５９】
［１−４］復調用シンボル３０３およびデータシンボル３０４が、規格αのシンボルであるか、規格βのシンボルであるか、を示す制御情報。例えば、この制御情報をｕ６としたとき、表５のような関係をもつものとする。
【００６０】
【表５】
2020010071.tif 000011
表５のように、復調用シンボル３０３およびデータシンボル３０４が規格αに属するシンボルとする場合、制御情報ｕ６＝０と設定する。そして、復調用シンボル３０３およびデータシンボル３０４が規格βに属するシンボルとする場合、制御情報ｕ６＝１と設定する。
【００６１】
制御情報ｕ６は、制御情報シンボル３０２の一部として、基地局は送信し、基地局の通信相手は、制御情報ｕ６を得ることで、復調・復号のために行う信号処理を決定することになる。
図４は、図２の基地局の送信装置２０３の構成の一例を示している。
制御信号４０４は、図２の制御信号２１０に相当する信号であり、基地局が送信する変調信号のフレーム構成の情報、基地局が送信する変調信号を生成するのに使用する誤り訂正符号化方法の情報、基地局が送信する変調信号を生成するのに使用する変調方式のマッピング方法に関する情報、基地局が送信する変調信号の送信方法（シングルキャリア方式、またはＯＦＤＭ方式）に関する情報を含んでいるものとする。
【００６２】
誤り訂正符号化部４０５は、情報４０１（図２の情報２０１に相当する）、制御信号４０４を入力とし、制御信号４０４の制御情報に含まれる誤り訂正符号化方法の情報に基づき、誤り訂正符号化を行い、誤り訂正符号化後のデータ４０６を出力する。
本実施の形態では、基地局は、表４に示すように、誤り訂正符号の符号長（ブロック長）、および／または、符号化率を切り替えることができるものとする。したがって、誤り訂正符号化部４０５は、制御信号４０４の制御情報に含まれる誤り訂正符号化方法の情報に基づき、表４に示す誤り訂正符号化方法のいずれかに設定し、情報４０１に対し、誤り訂正符号化を行い、誤り訂正符号化後のデータ４０６を出力する。
【００６３】
マッピング部４０７は、誤り訂正符号化後のデータ４０６、制御信号４０４を入力とし、制御信号４０４の制御情報に含まれる「設定した（表２の）送信方法の情報（シングルキャリア方式か、ＯＦＤＭ方式かを示す情報）」、「設定した（表３の）変調方式の変調多値数の情報」、「設定した（表４の）誤り訂正符号化方法の情報」、「設定した（表５の）規格に関する情報」に基づき、変調方式を設定し、設定した変調方式に基づいたマッピングを行い、マッピング後の信号４０８を出力する。
【００６４】
このとき、マッピング部４０７は、実施の形態１に基づく変調方式の選択を行うことになる。その実施方法については、実施の形態１で説明したとおりであるので、説明を省略するが、後で、要点のみ簡単に説明する。
無線部４０９は、マッピング後の信号４０８、プリアンブル信号、および、パイロット信号４０２（図２のプリアンブル信号、および、パイロット信号２０２に相当する）、制御情報信号４０３（図２の制御情報信号２０９に相当する）、制御信号４０４を入力とし、制御信号４０４に含まれるフレーム構成の情報に基づき、例えば、図３のフレーム構成にしたがった送信信号４１０を生成し、出力する。そして、送信信号４１０は、アンテナ部４１１から電波として、出力される。
【００６５】
次に、マッピング部４０７の特長的な動作について説明する。（ただし、マッピング部４０７において、変調方式（マッピング方法）の選択は、実施の形態１の表１に基づいて行われることになる。なお、実施の形態１で説明しているため、詳細の説明は省略する。）
制御信号４０４における表３に基づく「変調方式の変調多値数の情報」が「６４」値と設定された場合について考える。
【００６６】
このとき、マッピング部４０７は、制御信号４０４に含まれる送信方法の情報（表２参照）により、「シングルキャリア方式」あるいは「ＯＦＤＭ方式」のいずれかに設定される。
このとき、「「シングルキャリア方式」に設定されたときマッピング部４０７が行う「マッピング方法」」と「「ＯＦＤＭ方式」に設定されたときのマッピング部４０７が行う「マッピング方法」」が異なることが一つの特長となる。
【００６７】
この点について、具体的に示す。
表１からわかるように、
例１）
基地局が送信する変調信号の方式を「シングルキャリア」かつ「ＬＤＰＣ符号  符号長６７２ビット  符号化率５／８」に設定した場合、マッピング部４０７は「マッピング方法＃Ａ」によるマッピングを行うことになる。
【００６８】
一方、基地局が送信する変調信号の方式を「ＯＦＤＭ方式」かつ「ＬＤＰＣ符号  符号長６７２ビット  符号化率５／８」に設定した場合、マッピング部４０７は「マッピング方法＃Ｂ」によるマッピングを行うことになる。
例２）
基地局が送信する変調信号の方式を「シングルキャリア」かつ「ＬＤＰＣ符号  符号長１３４４ビット  符号化率３／４」に設定した場合、マッピング部４０７は「マッピング方法＃Ｃ」によるマッピングを行うことになる。
【００６９】
一方、基地局が送信する変調信号の方式を「ＯＦＤＭ方式」かつ「ＬＤＰＣ符号  符号長１３４４ビット  符号化率３／４」に設定した場合、マッピング部４０７は「マッピング方法＃Ｄ」によるマッピングを行うことになる。
以上の説明において、表１の特長である「第１のマッピング方法の同相Ｉ−直交Ｑ平面における信号点の数と第２のマッピング方法の同相Ｉ−直交Ｑ平面における信号点の数と第３のマッピング方法のマッピング方法の同相Ｉ−直交Ｑ平面における信号点の数は等しく、第１の信号点の数を有しており、送信装置が、送信信号を生成するために、第１の誤り訂正符号の方法、かつ、シングルキャリア方式を選択した際、変調信号を生成するために第１のマッピング方法を選択し、送信装置が、送信信号を生成するために、第１の誤り訂正符号の方式、かつ、ＯＦＤＭ方式を選択した際、変調信号を生成するために第２のマッピング方法を選択するようにする。ただし、第１のマッピング方法と第２のマッピング方法は異なるマッピング方法であるものとする。」を実現する際、基地局の送信装置が送信する制御情報の構成の一例を説明した。これにより、基地局の通信相手の受信装置が、制御情報を受信することで、受信信号の復調・復号が可能となる。なお、基地局の通信相手の受信装置の構成、動作については後で説明する。
【００７０】
ただし、上述の説明では、基地局は、制御情報として、「（表２の）送信方法に関する情報」、「（表３の）変調方式の変調多値数に関する情報」、「（表４の）誤り訂正符号化方法に関する情報」、「（表５の）規格に関する情報」を送信する場合について説明したが、基地局が必ずしも「（表２の）送信方法に関する情報」、「（表３の）変調方式の変調多値数に関する情報」、「（表４の）誤り訂正符号化方法に関する情報」、「（表５の）規格に関する情報」すべての制御情報が必要というわけではない。
【００７１】
例えば、基地局が表１の「規格β」の変調信号の送信に対応していない場合、「（表５の）規格に関する情報」の制御情報を送信しなくてもよい場合がある。
また、基地局が変調多値数として、「６４」値の変調信号の送信にのみ対応している場合は、「（表３の）変調方式の変調多値数に関する情報」の制御情報を送信しなくてもよい。
【００７２】
そして、基地局が誤り訂正符号化方法として一つの方式のみ対応している場合は、「（表４の）誤り訂正符号化方法に関する情報」の制御情報を送信しなくてもよい。
また、基地局は、制御情報として、例えば、「（表２の）送信方法に関する情報」、「（表３の）変調方式の変調多値数に関する情報」、「（表４の）誤り訂正符号化方式に関する情報」、「（表５の）規格に関する情報」を送信し（ただし、前にも記載したように、これらの制御情報すべてを送信しなくてもよい）、基地局の送信装置が、送信信号を生成するために、第１の誤り訂正符号の方法、かつ、シングルキャリア方式を選択した際、第１の信号点の数を有するマッピング方法を選択することができないこともあり、基地局の送信装置が、送信信号を生成するために、第１の誤り訂正符号の方式、かつ、ＯＦＤＭ方式を選択した際、変調信号を生成するために第３のマッピング方法を選択するようにする、としてもよい。このときについても、図４のマッピング部４０７は、これらの制御情報（制御信号）に基づいて、マッピングの動作の制御を行うことになる。
【００７３】
次に、基地局の通信相手の構成、動作について説明する。図５は、基地局の通信相手の装置の構成の一例を示している。
図５の基地局の通信相手の受信装置５０４は、基地局が送信した変調信号を受信し、復調、誤り訂正復号等の処理を行い、受信制御情報５０５および受信データ５０６を出力する。
【００７４】
制御情報信号生成部５０８は、制御情報５０７、受信制御情報５０４を入力とし、基地局に伝送するための制御情報信号、および、送信方法・フレーム構成などの情報を含んだ制御信号５１０を生成し、制御情報信号５０９、および、制御信号５１０を出力する。
送信装置５０３は、「情報５０１」、「プリアンブル、および、パイロット信号５０２」、「制御情報信号５０９」、「制御信号５１０」を入力とし、制御信号５１０に含まれるフレーム構成にしたがった変調信号を生成し、電波としてアンテナから出力する。
【００７５】
図６は、図５の基地局の通信相手の装置の受信装置５０４の構成の一例を示している。
無線部６０３は、アンテナ６０１で受信した受信信号６０２、制御信号６１０を入力とし、周波数変換等の処理を行うとともに、制御信号６１０の制御情報により、信号処理動作を切り替え、信号処理を行い、ベースバンド信号６０４を出力する。（動作切り替えについては、後で説明する。）
チャネル推定部６０５は、ベースバンド信号６０４を入力とし、図３のプリアンブル３０１やパイロットシンボルを検出し、チャネル推定を行い、チャネル推定信号６０６を出力する。
【００７６】
信号検出、および、時間周波数同期部６０７は、例えば、図３のプリアンブル３０１を検出し、変調信号の検出、時間同期、周波数同期を行い、時間・周波数制御のための推定信号６０８を出力する。
制御情報関連復調・復号部６０９は、ベースバンド信号６０９を入力とし、図３の制御情報シンボル３０２、および、復調用シンボル３０３に含まれる制御情報を得るための復調・復号を行い、制御情報を含む制御信号６１０を出力する。このとき、制御情報関連復調・復号部６０９は、復調・復号によって、例えば、「（表２の）送信方法に関する情報（シングルキャリア方式か、ＯＦＤＭ方式かを示す情報）」、「（表３の）変調方式の変調多値数に関する情報」、「（表４の）誤り訂正符号の方法に関する情報」、「（表５の）規格に関する情報」を得、これらの（制御）情報を制御信号６１０として出力する。
【００７７】
よって、無線部６０３は、制御信号６１０に含まれる「（表２の）送信方法に関する情報（シングルキャリア方式か、ＯＦＤＭ方式かを示す情報）」により、無線部６０３の動作は切り替わることになる。
まず、受信開始時は、図３のプリアンブル３０１と制御情報シンボル３０２を受信するため、無線部６０３は、シングルキャリア方式用の信号処理を行うことになる。その後、無線部６０３は、制御信号６１０に含まれる「（表２の）送信方法に関する情報（シングルキャリア方式か、ＯＦＤＭ方式かを示す情報）」に基づき、シングルキャリア方式の信号処理、ＯＦＤＭ方式の信号処理のいずれかに設定し、信号処理を行うことになる。
【００７８】
信号処理部６１１は、ベースバンド信号６０４、チャネル推定信号６０６、推定信号６０８、制御信号６１０を入力とし、基地局が送信した図３のデータシンボル３０４に用いられた変調方式のマッピング方法に基づくデマッピング（復調）を行い、その後、基地局が送信した図３のデータシンボルを生成するのに用い垂れた誤り訂正符号の方法に基づく誤り訂正復号を行い、受信データ６１２を出力する。
【００７９】
このとき、信号処理部６１１において、「基地局が送信した図３のデータシンボル」のマッピング方法を推定する必要がある。以下では、「（表３の）変調方式の変調多値数に関する情報」が「６４」値を示されているときを例に説明する。
信号処理部６１１におけるマッピング方法の推定は、基地局が送信した制御情報を通信相手の受信装置が得、その制御情報と表１の関係を照らし合わせることで行われる。
【００８０】
例えば、通信相手の受信装置は、上述で説明したように、「（表２の）送信方法に関する情報（シングルキャリア方式か、ＯＦＤＭ方式かを示す情報）」、「（表３の）変調方式の変調多値数に関する情報」（ここでの説明では「６４」値であるものとする）、「（表４の）誤り訂正方法に関する情報」、「（表５の）規格に関する情報」を得ている。そして、信号処理部６１１は、「（表２の）送信方法に関する情報（シングルキャリア方式か、ＯＦＤＭ方式かを示す情報）」、「（表３の）変調方式の変調多値数に関する情報」（ここでの説明では「６４」値であるものとする）、「（表４の）誤り訂正方式に関する情報」、「（表５の）規格に関する情報」と表１の関係から、図３のデータシンボル３０４のマッピング方法を推定し、この推定に基づき、デマッピングを行い、復調・復号を行うことになる。
【００８１】
特長的な点として、「第１のマッピング方法の同相Ｉ−直交Ｑ平面における信号点の数と第２のマッピング方法の同相Ｉ−直交Ｑ平面における信号点の数と第３のマッピング方法のマッピング方法の同相Ｉ−直交Ｑ平面における信号点の数は等しく、第１の信号点の数を有しており、送信装置が、送信信号を生成するために、第１の誤り訂正符号の方法、かつ、シングルキャリア方式を選択した際、変調信号を生成するために第１のマッピング方法を選択し、送信装置が、送信信号を生成するために、第１の誤り訂正符号の方式、かつ、ＯＦＤＭ方式を選択した際、変調信号を生成するために第２のマッピング方法を選択するようにする。ただし、第１のマッピング方法と第２のマッピング方法は異なるマッピング方法であるものとする。」ということであるが、この送信方法に対する復調・復号として、信号処理部６１１は、「（表２の）送信方法に関する情報」がシングルキャリア方式を示しているときに行うデマッピングの方法と「（表２の）送信方法に関する情報」がＯＦＤＭ方式を示しているときに行うデマッピングの方法が異なることになる。
【００８２】
なお、前にも説明したように、基地局は、制御情報として、「（表２の）送信方法に関する情報」、「（表３の）変調方式の変調多値数に関する情報」、「（表４の）誤り訂正方式に関する情報」、「（表５の）規格に関する情報」すべての制御情報を送信しているとは限らない。（「（表２の）送信方法に関する情報」は送信しているものとする。）したがって、基地局の通信相手の受信装置の信号処理部６１１は、「（表２の）送信方法に関する情報」、「（表３の）変調方式の変調多値数に関する情報」、「（表４の）誤り訂正方式に関する情報」、「（表５の）規格に関する情報」のうち必要な制御情報を用いて、デマッピング方法を推定することになる。（このときも、信号処理部６１１は、「（表２の）送信方法に関する情報」がシングルキャリア方式を示しているときに行うデマッピングの方法と「（表２の）送信方法に関する情報」がＯＦＤＭ方式を示しているときに行うデマッピングの方法が異なるという特長をもつことになる。）
【００８３】
【表６】
2020010071.tif 000012
表６は、表１と異なる規格・誤り訂正符号化方式・伝送方式・６４値変調方式の関係を示した表である。（なお、表６は、表１の記載内容に基づいた異なる例である。）
規格αは、使用する周波数帯が決まっており、周波数帯域（チャネル間隔）が一つ以上設定された規格であるものとする。
【００８４】
そして、規格αでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」  「ＬＤＰＣ符号  符号長（ブロック長）１３４４ビット  符号化率５／８」「ＬＤＰＣ符号  符号長（ブロック長）１３４４ビット  符号化率３／４」「ＬＤＰＣ符号  符号長（ブロック長）１３４４ビット  符号化率１３／１６」があるものとする。また、規格αでは、使用可能な伝送方式として、「シングルキャリア方式」「ＯＦＤＭ方式」があるものとする。
【００８５】
このとき、同相Ｉ−直交Ｑ平面において、６４個の信号点が存在する６４値変調方式が、規格αで選択することができるものとする。表６は、以下をあらわしている。
「規格α」「ＬＤＰＣ符号  符号長６７２ビット  符号化率５／８」「シングルキャリア方式」の変調信号を送信装置が送信するとき、６４値変調方式のマッピング方法は、「マッピング方法＃Ａ」とする。
【００８６】
「規格α」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率３／４」「シングルキャリア方式」の変調信号を送信装置が送信するとき、６４値変調方式のマッピング方法は、「マッピング方法＃Ａ」とする。
【００８７】
「規格α」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ａ」とする。
【００８８】
「規格α」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率５／８」「シングルキャリア方式」の変調信号を送信装置が送信するとき、６４値変調方式のマッピング方法は、「マッピング方法＃Ｃ」とする。
【００８９】
「規格α」「ＬＤＰＣ符号  符号長１３４４ビット  符号化率５／８」「ＯＦＤＭ方式」の変調信号を送信装置が送信するとき、６４値変調方式のマッピング方法は、「マッピング方法＃Ｄ」とする。
「規格α」「ＬＤＰＣ符号  符号長１３４４ビット  符号化率３／４」「シングルキャリア方式」の変調信号を送信装置が送信するとき、６４値変調方式のマッピング方法は、「マッピング方法＃Ｃ」とする。
【００９０】
「規格α」「ＬＤＰＣ符号  符号長１３４４ビット  符号化率３／４」「ＯＦＤＭ方式」の変調信号を送信装置が送信するとき、６４値変調方式のマッピング方法は、「マッピング方法＃Ｄ」とする。
「規格α」「ＬＤＰＣ符号  符号長１３４４ビット  符号化率１３／１６」「シングルキャリア方式」の変調信号を送信装置が送信するとき、６４値変調方式のマッピング方法は、「マッピング方法＃Ｃ」とする。
【００９１】
「規格α」「ＬＤＰＣ符号  符号長１３４４ビット  符号化率１３／１６」「ＯＦＤＭ方式」の変調信号を送信装置が送信するとき、６４値変調方式のマッピング方法は、「マッピング方法＃Ｄ」とする。
規格βは、使用する周波数帯が決まっており、規格αが使用する周波数帯と規格βが使用する周波数帯が同じである、または、規格αが使用する周波数帯の一部と規格βが使用する周波数帯の一部が同じであるものとする。そして、周波数帯域（チャネル間隔）が一つ以上設定された規格であるものとする。
【００９２】
そして、規格βでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」があるものとする。
また、規格βでは、使用可能な伝送方式として、「シングルキャリア方式」「ＯＦＤＭ方式」があるものとする。
【００９３】
このとき、同相Ｉ−直交Ｑ平面において、６４個の信号点が存在する６４値変調方式が、規格βで選択することができるものとする。表６は、以下をあらわしている。
「規格β」「ＬＤＰＣ符号  符号長６７２ビット  符号化率５／８」「シングルキャリア方式」の変調信号を送信装置が送信するとき、６４値変調方式のマッピング方法は、「マッピング方法＃Ｅ」とする。
【００９４】
「規格β」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率３／４」「シングルキャリア方式」の変調信号を送信装置が送信するとき、６４値変調方式のマッピング方法は、「マッピング方法＃Ｅ」とする。
【００９５】
「規格β」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ｅ」とする。
【００９６】
「規格β」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
このとき、「マッピング方法＃Ａ」と「マッピング方法＃Ｂ」は異なるマッピング方法であり、また、「マッピング方法＃Ｃ」と「マッピング方法＃Ｄ」は異なるマッピング方法であるものとする。
【００９７】
【表７】
2020010071.tif 000013
表７は、表１、表６と異なる規格・誤り訂正符号化方式・伝送方式・６４値変調方式の関係を示した表である。（なお、表７は、表１の記載内容に基づいた異なる例である。）
規格αは、使用する周波数帯が決まっており、周波数帯域（チャネル間隔）が一つ以上設定された規格であるものとする。
【００９８】
そして、規格αでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」  「ＬＤＰＣ符号  符号長（ブロック長）１３４４ビット  符号化率５／８」「ＬＤＰＣ符号  符号長（ブロック長）１３４４ビット  符号化率３／４」「ＬＤＰＣ符号  符号長（ブロック長）１３４４ビット  符号化率１３／１６」があるものとする。また、規格αでは、使用可能な伝送方式として、「シングルキャリア方式」「ＯＦＤＭ方式」があるものとする。
【００９９】
このとき、同相Ｉ−直交Ｑ平面において、６４個の信号点が存在する６４値変調方式が、規格αで選択することができるものとする。表７は、以下をあらわしている。
「規格α」「ＬＤＰＣ符号  符号長６７２ビット  符号化率５／８」「シングルキャリア方式」の変調信号を送信装置が送信するとき、６４値変調方式のマッピング方法は、「マッピング方法＃Ａ」とする。
【０１００】
「規格α」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率３／４」「シングルキャリア方式」の変調信号を送信装置が送信するとき、６４値変調方式のマッピング方法は、「マッピング方法＃Ａ」とする。
【０１０１】
「規格α」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ａ」とする。
【０１０２】
「規格α」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率５／８」「シングルキャリア方式」の変調信号を送信装置が送信するとき、６４値変調方式のマッピング方法は、「マッピング方法＃Ａ」とする。
【０１０３】
「規格α」「ＬＤＰＣ符号  符号長１３４４ビット  符号化率５／８」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率３／４」「シングルキャリア方式」の変調信号を送信装置が送信するとき、６４値変調方式のマッピング方法は、「マッピング方法＃Ａ」とする。
【０１０４】
「規格α」「ＬＤＰＣ符号  符号長１３４４ビット  符号化率３／４」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率１３／１６」「シングルキャリア方式」の変調信号を送信装置が送信するとき、６４値変調方式のマッピング方法は、「マッピング方法＃Ａ」とする。
【０１０５】
「規格α」「ＬＤＰＣ符号  符号長１３４４ビット  符号化率１３／１６」「ＯＦＤＭ方式」の変調信号を送信装置が送信するとき、６４値変調方式のマッピング方法は、「マッピング方法＃Ｂ」とする。
規格βは、使用する周波数帯が決まっており、規格αが使用する周波数帯と規格βが使用する周波数帯が同じである、または、規格αが使用する周波数帯の一部と規格βが使用する周波数帯の一部が同じであるものとする。そして、周波数帯域（チャネル間隔）が一つ以上設定された規格であるものとする。
【０１０６】
そして、規格βでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」があるものとする。
また、規格βでは、使用可能な伝送方式として、「シングルキャリア方式」「ＯＦＤＭ方式」があるものとする。
【０１０７】
このとき、同相Ｉ−直交Ｑ平面において、６４個の信号点が存在する６４値変調方式が、規格βで選択することができるものとする。表７は、以下をあらわしている。
「規格β」「ＬＤＰＣ符号  符号長６７２ビット  符号化率５／８」「シングルキャリア方式」の変調信号を送信装置が送信するとき、６４値変調方式のマッピング方法は、選択できないものとする。
【０１０８】
「規格β」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率３／４」「シングルキャリア方式」の変調信号を送信装置が送信するとき、６４値変調方式のマッピング方法は、選択できないものとする。
【０１０９】
「規格β」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率１３／１６」「シングルキャリア方式」の変調信号を送信装置が送信するとき、６４値変調方式のマッピング方法は、選択できないものとする。
【０１１０】
「規格β」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
このとき、「マッピング方法＃Ａ」と「マッピング方法＃Ｂ」は異なるマッピング方法であるものとする。
【０１１１】
【表８】
2020010071.tif 000014
表８は、表１、表６、表７と異なる規格・誤り訂正符号化方式・伝送方式・６４値変調方式の関係を示した表である。（なお、表８は、表１の記載内容に基づいた異なる例である。）
規格αは、使用する周波数帯が決まっており、周波数帯域（チャネル間隔）が一つ以上設定された規格であるものとする。
【０１１２】
そして、規格αでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」  「ＬＤＰＣ符号  符号長（ブロック長）１３４４ビット  符号化率５／８」「ＬＤＰＣ符号  符号長（ブロック長）１３４４ビット  符号化率３／４」「ＬＤＰＣ符号  符号長（ブロック長）１３４４ビット  符号化率１３／１６」があるものとする。また、規格αでは、使用可能な伝送方式として、「シングルキャリア方式」「ＯＦＤＭ方式」があるものとする。
【０１１３】
このとき、同相Ｉ−直交Ｑ平面において、６４個の信号点が存在する６４値変調方式が、規格αで選択することができるものとする。表８は、以下をあらわしている。
「規格α」「ＬＤＰＣ符号  符号長６７２ビット  符号化率５／８」「シングルキャリア方式」の変調信号を送信装置が送信するとき、６４値変調方式のマッピング方法は、「マッピング方法＃Ａ」とする。
【０１１４】
「規格α」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率３／４」「シングルキャリア方式」の変調信号を送信装置が送信するとき、６４値変調方式のマッピング方法は、「マッピング方法＃Ａ」とする。
【０１１５】
「規格α」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｂ」とする。
「規格α」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ａ」とする。
【０１１６】
「規格α」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率５／８」「シングルキャリア方式」の変調信号を送信装置が送信するとき、６４値変調方式のマッピング方法は、「マッピング方法＃Ａ」とする。
【０１１７】
「規格α」「ＬＤＰＣ符号  符号長１３４４ビット  符号化率５／８」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率３／４」「シングルキャリア方式」の変調信号を送信装置が送信するとき、６４値変調方式のマッピング方法は、「マッピング方法＃Ａ」とする。
【０１１８】
「規格α」「ＬＤＰＣ符号  符号長１３４４ビット  符号化率３／４」「ＯＦＤＭ方式」の変調信号を送信装置が送信するとき、６４値変調方式のマッピング方法は、「マッピング方法＃Ｂ」とする。
「規格α」「ＬＤＰＣ符号  符号長１３４４ビット  符号化率１３／１６」「シングルキャリア方式」の変調信号を送信装置が送信するとき、６４値変調方式のマッピング方法は、「マッピング方法＃Ａ」とする。
【０１１９】
「規格α」「ＬＤＰＣ符号  符号長１３４４ビット  符号化率１３／１６」「ＯＦＤＭ方式」の変調信号を送信装置が送信するとき、６４値変調方式のマッピング方法は、「マッピング方法＃Ｂ」とする。
規格βは、使用する周波数帯が決まっており、規格αが使用する周波数帯と規格βが使用する周波数帯が同じである、または、規格αが使用する周波数帯の一部と規格βが使用する周波数帯の一部が同じであるものとする。そして、周波数帯域（チャネル間隔）が一つ以上設定された規格であるものとする。
【０１２０】
そして、規格βでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」があるものとする。
また、規格βでは、使用可能な伝送方式として、「シングルキャリア方式」「ＯＦＤＭ方式」があるものとする。このとき、同相Ｉ−直交Ｑ平面において、６４個の信号点が存在する６４値変調方式が、規格βで選択することができるものとする。表８は、以下をあらわしている。
【０１２１】
「規格β」「ＬＤＰＣ符号  符号長６７２ビット  符号化率５／８」「シングルキャリア方式」の変調信号を送信装置が送信するとき、６４値変調方式のマッピング方法は、「マッピング方法＃Ｅ」とする。
「規格β」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
【０１２２】
「規格β」「ＬＤＰＣ符号  符号長６７２ビット  符号化率３／４」「シングルキャリア方式」の変調信号を送信装置が送信するとき、６４値変調方式のマッピング方法は、「マッピング方法＃Ｅ」とする。
「規格β」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
【０１２３】
「規格β」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ｅ」とする。
「規格β」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
【０１２４】
このとき、「マッピング方法＃Ａ」と「マッピング方法＃Ｂ」は異なるマッピング方法であるものとする。
【０１２５】
【表９】
2020010071.tif 000015
表９は、表１、表６、表７、表８と異なる規格・誤り訂正符号化方式・伝送方式・６４値変調方式の関係を示した表である。（なお、表９は、表１の記載内容に基づいた異なる例である。）
規格αは、使用する周波数帯が決まっており、周波数帯域（チャネル間隔）が一つ以上設定された規格であるものとする。
【０１２６】
そして、規格αでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」  「ＬＤＰＣ符号  符号長（ブロック長）１３４４ビット  符号化率５／８」「ＬＤＰＣ符号  符号長（ブロック長）１３４４ビット  符号化率３／４」「ＬＤＰＣ符号  符号長（ブロック長）１３４４ビット  符号化率１３／１６」があるものとする。また、規格αでは、使用可能な伝送方式として、「シングルキャリア方式」「ＯＦＤＭ方式」があるものとする。
【０１２７】
このとき、同相Ｉ−直交Ｑ平面において、６４個の信号点が存在する６４値変調方式が、規格αで選択することができるものとする。表９は、以下をあらわしている。
「規格α」「ＬＤＰＣ符号  符号長６７２ビット  符号化率５／８」「シングルキャリア方式」の変調信号を送信装置が送信するとき、６４値変調方式のマッピング方法は、「マッピング方法＃Ａ」とする。
【０１２８】
「規格α」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
「規格α」「ＬＤＰＣ符号  符号長６７２ビット  符号化率３／４」「シングルキャリア方式」の変調信号を送信装置が送信するとき、６４値変調方式のマッピング方法は、「マッピング方法＃Ａ」とする。
【０１２９】
「規格α」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
「規格α」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ａ」とする。
【０１３０】
「規格α」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
「規格α」「ＬＤＰＣ符号  符号長１３４４ビット  符号化率５／８」「シングルキャリア方式」の変調信号を送信装置が送信するとき、６４値変調方式のマッピング方法は、「マッピング方法＃Ａ」とする。
【０１３１】
「規格α」「ＬＤＰＣ符号  符号長１３４４ビット  符号化率５／８」「ＯＦＤＭ方式」の変調信号を送信装置が送信するとき、６４値変調方式のマッピング方法は、「マッピング方法＃Ｅ」とする。
「規格α」「ＬＤＰＣ符号  符号長１３４４ビット  符号化率３／４」「シングルキャリア方式」の変調信号を送信装置が送信するとき、６４値変調方式のマッピング方法は、「マッピング方法＃Ａ」とする。
【０１３２】
「規格α」「ＬＤＰＣ符号  符号長１３４４ビット  符号化率３／４」「ＯＦＤＭ方式」の変調信号を送信装置が送信するとき、６４値変調方式のマッピング方法は、「マッピング方法＃Ｅ」とする。
「規格α」「ＬＤＰＣ符号  符号長１３４４ビット  符号化率１３／１６」「シングルキャリア方式」の変調信号を送信装置が送信するとき、６４値変調方式のマッピング方法は、「マッピング方法＃Ａ」とする。
【０１３３】
「規格α」「ＬＤＰＣ符号  符号長１３４４ビット  符号化率１３／１６」「ＯＦＤＭ方式」の変調信号を送信装置が送信するとき、６４値変調方式のマッピング方法は、「マッピング方法＃Ｅ」とする。
規格βは、使用する周波数帯が決まっており、規格αが使用する周波数帯と規格βが使用する周波数帯が同じである、または、規格αが使用する周波数帯の一部と規格βが使用する周波数帯の一部が同じであるものとする。そして、周波数帯域（チャネル間隔）が一つ以上設定された規格であるものとする。
【０１３４】
そして、規格βでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」があるものとする。
また、規格βでは、使用可能な伝送方式として、「シングルキャリア方式」「ＯＦＤＭ方式」があるものとする。
【０１３５】
このとき、同相Ｉ−直交Ｑ平面において、６４個の信号点が存在する６４値変調方式が、規格βで選択することができるものとする。表９は、以下をあらわしている。
「規格β」「ＬＤＰＣ符号  符号長６７２ビット  符号化率５／８」「シングルキャリア方式」の変調信号を送信装置が送信するとき、６４値変調方式のマッピング方法は、選択できないものとする。
【０１３６】
「規格β」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率３／４」「シングルキャリア方式」の変調信号を送信装置が送信するとき、６４値変調方式のマッピング方法は、選択できないものとする。
【０１３７】
「規格β」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率１３／１６」「シングルキャリア方式」の変調信号を送信装置が送信するとき、６４値変調方式のマッピング方法は、選択できないものとする。
【０１３８】
「規格β」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
このとき、「マッピング方法＃Ａ」と「マッピング方法＃Ｅ」は異なるマッピング方法であるものとする。
【０１３９】
【表１０】
2020010071.tif 000016
表１０は、表１、表６、表７、表８、表９と異なる規格・誤り訂正符号化方式・伝送方式・６４値変調方式の関係を示した表である。（なお、表１０は、表１の記載内容に基づいた異なる例である。）
規格αは、使用する周波数帯が決まっており、周波数帯域（チャネル間隔）が一つ以上設定された規格であるものとする。
【０１４０】
そして、規格αでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」  「ＬＤＰＣ符号  符号長（ブロック長）１３４４ビット  符号化率５／８」「ＬＤＰＣ符号  符号長（ブロック長）１３４４ビット  符号化率３／４」「ＬＤＰＣ符号  符号長（ブロック長）１３４４ビット  符号化率１３／１６」があるものとする。また、規格αでは、使用可能な伝送方式として、「シングルキャリア方式」「ＯＦＤＭ方式」があるものとする。
【０１４１】
このとき、同相Ｉ−直交Ｑ平面において、６４個の信号点が存在する６４値変調方式が、規格αで選択することができるものとする。表１０は、以下をあらわしている。
「規格α」「ＬＤＰＣ符号  符号長６７２ビット  符号化率５／８」「シングルキャリア方式」の変調信号を送信装置が送信するとき、６４値変調方式のマッピング方法は、「マッピング方法＃Ａ」とする。
【０１４２】
「規格α」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
「規格α」「ＬＤＰＣ符号  符号長６７２ビット  符号化率３／４」「シングルキャリア方式」の変調信号を送信装置が送信するとき、６４値変調方式のマッピング方法は、「マッピング方法＃Ａ」とする。
【０１４３】
「規格α」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
「規格α」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ａ」とする。
【０１４４】
「規格α」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
「規格α」「ＬＤＰＣ符号  符号長１３４４ビット  符号化率５／８」「シングルキャリア方式」の変調信号を送信装置が送信するとき、６４値変調方式のマッピング方法は、「マッピング方法＃Ａ」とする。
【０１４５】
「規格α」「ＬＤＰＣ符号  符号長１３４４ビット  符号化率５／８」「ＯＦＤＭ方式」の変調信号を送信装置が送信するとき、６４値変調方式のマッピング方法は、「マッピング方法＃Ｅ」とする。
「規格α」「ＬＤＰＣ符号  符号長１３４４ビット  符号化率３／４」「シングルキャリア方式」の変調信号を送信装置が送信するとき、６４値変調方式のマッピング方法は、「マッピング方法＃Ａ」とする。
【０１４６】
「規格α」「ＬＤＰＣ符号  符号長１３４４ビット  符号化率３／４」「ＯＦＤＭ方式」の変調信号を送信装置が送信するとき、６４値変調方式のマッピング方法は、「マッピング方法＃Ｅ」とする。
「規格α」「ＬＤＰＣ符号  符号長１３４４ビット  符号化率１３／１６」「シングルキャリア方式」の変調信号を送信装置が送信するとき、６４値変調方式のマッピング方法は、「マッピング方法＃Ａ」とする。
【０１４７】
「規格α」「ＬＤＰＣ符号  符号長１３４４ビット  符号化率１３／１６」「ＯＦＤＭ方式」の変調信号を送信装置が送信するとき、６４値変調方式のマッピング方法は、「マッピング方法＃Ｅ」とする。
規格βは、使用する周波数帯が決まっており、規格αが使用する周波数帯と規格βが使用する周波数帯が同じである、または、規格αが使用する周波数帯の一部と規格βが使用する周波数帯の一部が同じであるものとする。そして、周波数帯域（チャネル間隔）が一つ以上設定された規格であるものとする。
【０１４８】
そして、規格βでは、使用する誤り訂正符号の方式として「ＬＤＰＣ符号  符号長（ブロック長）６７２ビット  符号化率５／８」「ＬＤＰＣ符号  符号長（ブロック長）６７２ビット  符号化率３／４」「ＬＤＰＣ符号  符号長（ブロック長）６７２ビット  符号化率１３／１６」があるものとする。
また、規格βでは、使用可能な伝送方式として、「シングルキャリア方式」「ＯＦＤＭ方式」があるものとする。
【０１４９】
このとき、同相Ｉ−直交Ｑ平面において、６４個の信号点が存在する６４値変調方式が、規格βで選択することができるものとする。表１０は、以下をあらわしている。
「規格β」「ＬＤＰＣ符号  符号長６７２ビット  符号化率５／８」「シングルキャリア方式」の変調信号を送信装置が送信するとき、６４値変調方式のマッピング方法は、「マッピング方法＃Ｅ」とする。
【０１５０】
「規格β」「ＬＤＰＣ符号  符号長６７２ビット  符号化率５／８」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率３／４」「シングルキャリア方式」の変調信号を送信装置が送信するとき、６４値変調方式のマッピング方法は、「マッピング方法＃Ｅ」とする。
【０１５１】
「規格β」「ＬＤＰＣ符号  符号長６７２ビット  符号化率３／４」「ＯＦＤＭ方式」の変調信号を送信装置が送信するとき、６４値変調方式のマッピング方法は、「マッピング方法＃Ｅ」とする。
「規格β」「ＬＤＰＣ符号  符号長６７２ビット  符号化率１３／１６」「シングルキャリア方式」の変調信号を送信装置が送信するとき、６４値変調方式のマッピング方法は、「マッピング方法＃Ｅ」とする。
【０１５２】
「規格β」「ＬＤＰＣ符号  符号長６７２ビット  符号化率１３／１６」「ＯＦＤＭ方式」の変調信号を送信装置が送信するとき、６４値変調方式のマッピング方法は、「マッピング方法＃Ｅ」とする。
このとき、「マッピング方法＃Ａ」と「マッピング方法＃Ｅ」は異なるマッピング方法であるものとする。
【０１５３】
なお、表１、表６、表７、表８において、マッピング方法＃Ａとマッピング方法＃Ｂは異なるマッピング方法であり、マッピング方法＃Ａとマッピング方法＃Ｅは異なるマッピング方法であり、マッピング方法＃Ｂとマッピング＃Ｅは異なるマッピング方法であってもよい。
また、表１、表６、表７、表８において、マッピング方法＃Ａとマッピング方法＃Ｂは異なるマッピング方法であり、マッピング方法＃Ａとマッピング方法＃Ｅは同一のマッピング方法であり、マッピング方法＃Ｂとマッピング＃Ｅは異なるマッピング方法であってもよい。
【０１５４】
また、表１、表６、表７、表８において、マッピング方法＃Ａちマッピング方法＃Ｂは異なるマッピング方法であり、マッピング方法＃Ａとマッピング方法＃Ｅは異なるマッピング方法であり、マッピング方法＃Ｂとマッピング方法＃Ｅは同一のマッピング方法であってもよい。
本実施の形態において、基地局の制御情報の通信相手への送信方法、および、基地局の通信相手の受信装置におけるデマッピング方法の推定方法の説明において、表１の誤り訂正符号化方式・伝送方式・６４値変調方式（マッピング）の関係に基づいた実施方法について説明したが、表１の代わりに、表６、または、表７、または、表８、または、表９、または、表１０に基づいて、基地局の制御情報の通信相手への送信、基地局の通信相手の受信装置におけるデマッピング方法の推定することが可能である。
【０１５５】
このようにしても、「第１のマッピング方法の同相Ｉ−直交Ｑ平面における信号点の数と第２のマッピング方法の同相Ｉ−直交Ｑ平面における信号点の数と第３のマッピング方法のマッピング方法の同相Ｉ−直交Ｑ平面における信号点の数は等しく、第１の信号点の数を有しており、送信装置が、送信信号を生成するために、第１の誤り訂正符号の方法、かつ、シングルキャリア方式を選択した際、変調信号を生成するために第１のマッピング方法を選択し、送信装置が、送信信号を生成するために、第１の誤り訂正符号の方式、かつ、ＯＦＤＭ方式を選択した際、変調信号を生成するために第２のマッピング方法を選択するようにする。ただし、第１のマッピング方法と第２のマッピング方法は異なるマッピング方法であるものとする。」という特長に対し、基地局の通信相手の受信装置は、制御情報を受信することで、受信信号の復調・復号可能となる。
【０１５６】
これにより、、シングルキャリア方式を用いたとき、通信相手の受信装置が、高いデータ受信品質を得ることができる、マッピング方法を選択し、かつ、ＯＦＤＭ方式を用いたとき、通信相手の受信装置が、高いデータの受信品質を得ることができるマッピング方法を選択することができ、これにより、シングルキャリア方式、ＯＦＤＭ方式いずれを選択したときも、通信相手の受信装置は、高いデータの受信品質を得ることができるという効果を得ることができる。
【０１５７】
なお、表１、表６、表７、表８、表９、表１０において、規格βが存在しているが、これは、規格αと共存する規格が存在してもよいことを示すために記載している。規格αと共存する規格βが存在せず、規格αが単独で規定されていてもよい。
また、通信装置（基地局、および、基地局の通信相手の装置）は、規格αと規格βの両者に対応し、規格αを用いた通信と規格βを用いた通信の両者を行ってもよい。その場合も、通信装置は規格αを用いた通信を行う場合、本実施で記載した、「シングルキャリア方式、ＯＦＤＭ方式いずれを選択したときも、基地局の通信相手の受信装置は、高いデータの受信品質を得ることができるという効果を得ることができる。
【０１５８】
（補足）
当然であるが、本明細書において説明した実施の形態、その他の内容を複数組み合わせて、実施してもよい。
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０１５９】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０１６０】
本明細書において、送信装置を具備しているのは、例えば、放送局、基地局、アクセスポイント、端末、携帯電話（mobile phone）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０１６１】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Channel State Information）の推定）、信号の検出等を行うことになる。また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
【０１６２】
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
なお、例えば、上記通信方法を実行するプログラムを予めＲＯＭ（Read Only Memory）に格納しておき、そのプログラムをＣＰＵ（Central Processor Unit）によって動作させるようにしても良い。
【０１６３】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
そして、上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。
【０１６４】
ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【産業上の利用可能性】
【０１６５】
本開示は、シングルキャリア方式、及び／又は、マルチキャリア方式を用いた無線通信システムにおいて、適用可能である。
【符号の説明】
【０１６６】
２０３  送信装置
【図１】
2020010071.tif 000017
【図２】
2020010071.tif 000018
【図３】
2020010071.tif 000019
【図４】
2020010071.tif 000020
【図５】
2020010071.tif 000021
【図６】
2020010071.tif 000022